(57)【要約】  基地局と１つ以上の通信デバイスとの間でリソースブロック内で情報を送信するためのデバイス及び方法が開示される。データ又は制御チャネル送信のために使用される各リソースブロック（ＲＢ）において、複数の重複しないリソースエレメント（ＲＥ）の領域が定義される。各領域は、１つ又は複数の一意なリファレンスシンボル（ＲＳ）に関連付けられ、さらに１つ以上のアンテナポートに関連付けられ得る。ユーザ機器（ＵＥ）は、当該情報を復調する際、ＲＢの特定の領域内で受信を行い、当該領域に関連付けられるＲＳ及び／又はアンテナポートを使用する。ＲＳ及び／又はアンテナポートの情報を用いて、例えば、通信ネットワークのチャネルが推定され、又は関連付けられる領域内に含まれるデータが復調され及び復号され得る。【選択図】図８
2014529220.tif 000002
【特許請求の範囲】
【請求項１】
基地局（５０２）から通信デバイス（５０４）へリソースブロック内でデータを送信するための方法であって、前記基地局は、複数のアンテナポート（５０６，５０８）を含み、前記リソースブロックは、リソースエレメントを含む複数の領域を含み、前記方法は、
前記データの第１のリファレンスシンボルに関連付けられる第１の部分を、前記複数の領域のうちの第１の領域に割り当てること（８１０）と、
前記データの第２のリファレンスシンボルに関連付けられる第２の部分を、前記複数の領域のうちの第２の領域に割り当てること（８２０）と、
前記データの前記第１の部分及び前記第２の部分を符号化して（８３０）、第１の符号化データ及び第２の符号化データを生成することと、
前記第１の符号化データを変調して（８４０）、第１の変調データを生成することと、
前記第２の符号化データを変調して（８４０）、第２の変調データを生成することと、
前記第１の変調データ及び前記第２の変調データ並びに前記第１のリファレンスシンボル及び前記第２のリファレンスシンボルを、前記リソースブロック内で前記通信デバイスへ送信すること（８５０）と、
を含み、
前記第１のリファレンスシンボルは、前記複数のアンテナポートのうちの第１のアンテナポートに関連付けられ、前記第２のリファレンスシンボルは、前記複数のアンテナポートのうちの第２のアンテナポートに関連付けられる、
方法。
【請求項２】
前記データの前記第１の部分は、制御メッセージである、請求項１に記載の方法。
【請求項３】
前記制御メッセージは、電力制御、スケジューリング情報、ＡＣＫ／ＮＡＣＫ応答及びシステム情報のうちの１つ以上に関連するコマンドを含む、請求項２に記載の方法。
【請求項４】
前記第１のリファレンスシンボルは、ＵＥ固有リファレンスシンボルである、請求項２又は請求項３に記載の方法。
【請求項５】
前記第１のリファレンスシンボルは、前記通信デバイスに一意に関連付けられる、請求項１〜４のいずれかに記載の方法。
【請求項６】
前記第１のリファレンスシンボル及び前記第２のリファレンスシンボルに直交カバー符号を適用すること、をさらに含み、
前記第１のリファレンスシンボル及び前記第２のリファレンスシンボルは、同じリソースエレメントに割り当てられる、
請求項１〜５のいずれかに記載の方法。
【請求項７】
前記データの第３のリファレンスシンボルに関連付けられる第３の部分を、前記複数の領域のうちの第３の領域に割り当てることと、前記第３のリファレンスシンボルは、前記複数のアンテナポートのうちの第３のアンテナポートに関連付けられることと、
前記第１のリファレンスシンボル及び前記第３のリファレンスシンボルに直交カバー符号を適用することと、
前記第１のリファレンスシンボル及び前記第３のリファレンスシンボルは、同じリソースエレメントに割り当てられることと、
をさらに含む、請求項１〜６のいずれかに記載の方法。
【請求項８】
前記第１の領域及び前記第３の領域は、同じである、請求項７に記載の方法。
【請求項９】
前記データの前記第１の部分及び前記第３の部分に前記直交カバー符号を適用すること、をさらに含む、請求項８に記載の方法。
【請求項１０】
前記第１の領域に第１のカバー符号を適用することと、
前記第２の領域に第２のカバー符号を適用することと、
をさらに含み、
前記第１のカバー符号は、前記基地局の第１のアンテナポートに関連付けられ、前記第２のカバー符号は、前記基地局の第２のアンテナポートに関連付けられる、
請求項１に記載の方法。
【請求項１１】
リソースブロック内でデータを送信するための、通信ネットワーク内で動作可能な基地局デバイス（５０２）であって、前記リソースブロックは、リソースエレメントを含む複数の領域を含み、
複数のアンテナポート（７０２）と、
前記データの第１のリファレンスシンボルに関連付けられる第１の部分を、前記複数の領域のうちの第１の領域に割り当て、
前記データの第２のリファレンスシンボルに関連付けられる第２の部分を、前記複数の領域のうちの第２の領域に割り当て、
前記データの前記第１の部分及び前記第２の部分を符号化して、第１の符号化データ及び第２の符号化データを生成し、
前記第１の符号化データを変調して、第１の変調データを生成し、
前記第２の符号化データを変調して、第２の変調データを生成する、
ように構成されるプロセッサ（７０８）と、
前記第１の変調データ及び前記第２の変調データ並びに前記第１のリファレンスシンボル及び前記第２のリファレンスシンボルを、前記リソースブロック内で前記通信ネットワーク内の通信デバイスへ送信するように構成される送信器（７０４）と、
を備え、
前記第１のリファレンスシンボルは、前記複数のアンテナポートのうちの第１のアンテナポートに関連付けられ、前記第２のリファレンスシンボルは、前記複数のアンテナポートのうちの第２のアンテナポートに関連付けられる、
デバイス。
【請求項１２】
前記データの前記第１の部分は、制御メッセージである、請求項１１に記載のデバイス。
【請求項１３】
前記制御メッセージは、電力制御、スケジューリング情報、ＡＣＫ／ＮＡＣＫ応答及びシステム情報のうちの１つ以上に関連するコマンドを含む、請求項１２に記載のデバイス。
【請求項１４】
前記第１のリファレンスシンボルは、ＵＥ固有リファレンスシンボルである、請求項１２又は請求項１３に記載のデバイス。
【請求項１５】
前記第１のリファレンスシンボルは、前記通信デバイスに一意に関連付けられる、請求項１１〜１４のいずれかに記載のデバイス。
【請求項１６】
前記プロセッサは、前記第１のリファレンスシンボル及び前記第２のリファレンスシンボルに直交カバー符号を適用する、ようにさらに構成され、前記第１のリファレンスシンボル及び前記第２のリファレンスシンボルは、同じリソースエレメントに割り当てられる、請求項１１〜１５のいずれかに記載のデバイス。
【請求項１７】
前記プロセッサは、
前記データの第３のリファレンスシンボルに関連付けられる第３の部分を、前記複数の領域のうちの第３の領域に割り当て、
前記第１のリファレンスシンボル及び前記第３のリファレンスシンボルに直交カバー符号を適用する、
ようにさらに構成され、前記第３のリファレンスシンボルは、前記複数のアンテナポートのうちの第３のアンテナポートに関連付けられ、
前記第１のリファレンスシンボル及び前記第３のリファレンスシンボルは、同じリソースエレメントに割り当てられる、
請求項１１〜１６のいずれかに記載のデバイス。
【請求項１８】
前記第１の領域及び前記第３の領域は、同じである、請求項１７に記載のデバイス。
【請求項１９】
前記プロセッサは、前記データの前記第１の部分及び前記第３の部分に前記直交カバー符号を適用する、ようにさらに構成される、請求項１８に記載のデバイス。
【請求項２０】
前記プロセッサは、
前記第１の領域に第１のカバー符号を適用し、
前記第２の領域に第２のカバー符号を適用する、
ようにさらに構成され、
前記第１のカバー符号は、前記基地局の第１のアンテナポートに関連付けられ、前記第２のカバー符号は、前記基地局の第２のアンテナポートに関連付けられる、
請求項１１に記載のデバイス。
【請求項２１】
リソースエレメントを含む複数の領域を含むリソースブロック内のデータを復調するための方法であって、
通信デバイスにおいて、複数のアンテナポートを伴う基地局からの前記データを受信すること（１０１０）と、前記データの第１の部分は前記複数の領域のうちの第１の領域に割り当てられ第１のリファレンスシンボルに関連付けられており、前記データの第２の部分は前記複数の領域のうちの第２の領域に割り当てられ第２のリファレンスシンボルに関連付けられていることと、
前記第１のリファレンスシンボルを用いて、前記複数のアンテナポートのうちの第１のアンテナポートに対応する第１のチャネルを推定すること（１０２０）と、
前記第２のリファレンスシンボルを用いて、前記複数のアンテナポートのうちの第２のアンテナポートに対応する第２のチャネルを推定すること（１０３０）と、
前記データの前記第１の部分及び前記第２の部分のうちの少なくとも１つを復調すること（１０４０）と、
を含む方法。
【請求項２２】
前記データの前記第１の部分は、制御メッセージである、請求項２１に記載の方法。
【請求項２３】
前記制御メッセージは、電力制御、スケジューリング情報、ＡＣＫ／ＮＡＣＫ応答及びシステム情報のうちの１つ以上に関連するコマンドを含む、請求項２２に記載の方法。
【請求項２４】
前記第１のリファレンスシンボルは、ＵＥ固有リファレンスシンボルである、請求項２２又は請求項２３に記載の方法。
【請求項２５】
前記第１のリファレンスシンボルは、前記通信デバイスに一意に関連付けられる、請求項２１〜２４のいずれかに記載の方法。
【請求項２６】
複数のアンテナポートを伴う基地局から、リソースエレメントを含む複数の領域を含むリソースブロック内のデータを受信する、通信ネットワーク内で動作可能な通信デバイス（５０４）であって、
前記データを受信するように構成される１つ以上のアンテナ（６０２）と、
前記１つ以上のアンテナに結合されるプロセッサ（６０６）と、
を備え、
前記データの第１の部分は前記複数の領域のうちの第１の領域に割り当てられ第１のリファレンスシンボルに関連付けられており、前記データの第２の部分は前記複数の領域のうちの第２の領域に割り当てられ第２のリファレンスシンボルに関連付けられており、
前記プロセッサは、
前記第１のリファレンスシンボルを用いて、前記通信ネットワークの、前記基地局の複数のアンテナポートのうちの第１のアンテナポートに対応する第１のチャネルを推定し、
前記第２のリファレンスシンボルを用いて、前記通信ネットワークの、前記基地局の複数のアンテナポートのうちの第２のアンテナポートに対応する第２のチャネルを推定し、
前記データの前記第１の部分及び前記第２の部分のうちの少なくとも１つを復調する、
ようにさらに構成される、
デバイス。
【請求項２７】
前記データの前記第１の部分は、制御メッセージである、請求項２６に記載のデバイス。
【請求項２８】
前記制御メッセージは、電力制御、スケジューリング情報、ＡＣＫ／ＮＡＣＫ応答及びシステム情報のうちの１つ以上に関連するコマンドを含む、請求項２７に記載のデバイス。
【請求項２９】
前記第１のリファレンスシンボルは、ＵＥ固有リファレンスシンボルである、請求項２７又は請求項２８に記載のデバイス。
【請求項３０】
前記第１のリファレンスシンボルは、前記通信デバイスに一意に関連付けられる、請求項２６〜２９のいずれかに記載のデバイス。
【請求項３１】
基地局（５０２）から１つ又は通信デバイス（５０４）へ複数のメッセージを送信するための方法であって、前記基地局は、複数のアンテナポート（７０２）を含み、
第１のメッセージを、第１のリソースブロックの、第１のリファレンスシンボルに関連付けられるリソースエレメントからなる領域に割り当てること（２０１０）と、
第２のメッセージを、第２のリソースブロックの、リソースエレメントからなり第２のリファレンスシンボルに関連付けられる領域に割り当てること（２０２０）と、
前記第１のメッセージ及び前記第２のメッセージを符号化して（２０３０）、第１の符号化データ及び第２の符号化データを生成することと、
前記第１の符号化データを変調して（２０４０）、第１の変調データを生成することと、
前記第２の符号化データを変調して（２０４０）、第２の変調データを生成することと、
前記第１の変調データ及び前記第２の変調データ並びに前記第１のリファレンスシンボル及び前記第２のリファレンスシンボルを、前記１つ以上の通信デバイスのうち少なくとも１つへ送信すること（２０５０）と、
を含む方法。
【請求項３２】
前記第１のリファレンスシンボル及び前記第２のリファレンスシンボルは、前記第１のリソースブロック内のリソースエレメントに割り当てられる、請求項３１に記載の方法。
【請求項３３】
前記第１のリファレンスシンボルは、前記第１のリソースブロック内のリソースエレメントに割り当てられ、前記第２のリファレンスシンボルは、前記第２のリソースブロック内のリソースエレメントに割り当てられる、請求項３１に記載の方法。
【請求項３４】
前記第１のリファレンスシンボルは、前記基地局の第１のアンテナポートに関連付けられ、前記第２のリファレンスシンボルは、前記基地局の第２のアンテナポートに関連付けられる、請求項３１〜３３のいずれかに記載の方法。
【請求項３５】
前記第１のメッセージは、制御メッセージである、請求項３１〜３４のいずれかに記載の方法。
【請求項３６】
前記制御メッセージは、電力制御、スケジューリング情報、ＡＣＫ／ＮＡＣＫ応答及びシステム情報のうちの１つ以上に関連するコマンドを含む、請求項３５に記載の方法。
【請求項３７】
前記第１のリファレンスシンボルは、ＵＥ固有リファレンスシンボルである、請求項３５又は請求項３６に記載の方法。
【請求項３８】
前記第１のリファレンスシンボルは、１つ以上の通信デバイスに関連付けられる、請求項３１に記載の方法。
【請求項３９】
前記第１のメッセージ及び前記第２のメッセージは、単一のメッセージの複数の部分である、請求項３１に記載の方法。
【請求項４０】
前記第１のリファレンスシンボルは、前記１つ以上の通信デバイスのうちの第１のデバイスに関連付けられ、前記第２のリファレンスシンボルは、前記１つ以上の通信デバイスのうちの第２のデバイスに関連付けられる、請求項３１に記載の方法。
【請求項４１】
送信することは、
前記第１の変調データ及び前記第１のリファレンスシンボルを、前記第１のアンテナポート上で送信することと、
前記第２の変調データ及び前記第２のリファレンスシンボルを、前記第２のアンテナポート上で送信することと、
を含む、請求項１に記載の方法。
【請求項４２】
前記送信器は、前記第１の変調データ及び前記第１のリファレンスシンボルを前記第１のアンテナポート上で送信し、前記第２の変調データ及び前記第２のリファレンスシンボルを前記第２のアンテナポート上で送信する、ようにさらに構成される、請求項１１に記載の基地局。
【請求項４３】
送信することは、
前記第１の変調データ及び前記第１のリファレンスシンボルを、前記第１のアンテナポート上で送信することと、
前記第２の変調データ及び前記第２のリファレンスシンボルを、前記第２のアンテナポート上で送信することと、
を含む、請求項３４に記載の方法。
【発明の詳細な説明】
【技術分野】
【０００１】
本発明は、一般に、通信ネットワークに関し、より具体的には、複数の送信アンテナを伴う無線通信ネットワークにおいてデータを送信するための方法及びデバイスに関する。
【背景技術】
【０００２】
３ＧＰＰ  ＬＴＥ（Long  Term  Evolution）は、モバイルフォンのネットワーク技術についての標準である。ＬＴＥは、ＵＭＴＳ（Universal  Mobile  Telecommunications  System）の拡張のセットであり、ダウンリンクチャネル及びアップリンクチャネルの双方の上で高いデータレートに到達することのできる、高速パケットベース通信を実現するための技術である。ＬＴＥにおいて、ノードＢ（ＮＢ）及び拡張ノードＢ（ｅＮＢ）といった基地局から移動局（例えば、ユーザ機器（ＵＥ））へ送信信号が送信される。これら送信信号は、周波数において信号を複数の並列的なサブキャリアへと分割する直交周波数分割多重（ＯＦＤＭ）を用いて送信される。
【０００３】
図１に示したように、ＬＴＥにおける送信の基本的な単位はリソースブロック（ＲＢ）１００であり、リソースブロック１００は最も一般的な構成において１２個のサブキャリア１０４と７個のＯＦＤＭシンボル１０８（即ち、１スロット）とからなる。ＯＦＤＭシンボル１０８は、サイクリックプレフィクス１０６を含み得る。１つのサブキャリア及び１つのＯＦＤＭシンボルの単位を、リソースエレメント（ＲＥ）１０２という。よって、ＲＢは、例えば、１２×７の構成において８４個のＲＥから構成され得る。
【０００４】
ＬＴＥの無線サブフレームは、周波数における複数のリソースブロックと時間における２つのスロットとから構成され、ＲＢの数はシステムの帯域幅を左右する。例えば、図３に示したようなサブフレーム内の時間において隣接する２つのＲＢは、ＲＢペア３００と呼ばれ得る。時間領域では、ＬＴＥのダウンリンク送信信号は１０ｍｓの無線フレームへ体系化され、各無線フレームは長さＴsub-frame＝１ｍｓである１０個の等しいサイズのサブフレームから構成され得る。
【０００５】
ＬＴＥは、ＭＩＭＯ（Multiple-Input,  Multiple-Output）無線システムといった、複数の構成において配備され得る。図５に、ｅＮＢなどの基地局５０２及びユーザ機器５０４を含む例示的なＭＩＭＯシステムが示されている。ダウンリンクにおいて、即ちｅＮＢからＵＥ５０４への送信信号を搬送するリンクにおいてｅＮＢ５０２により信号が送信される場合、サブフレームは、複数のアンテナ５０６、５０８から送信され、当該信号は、１つ以上のアンテナを有するＵＥ５０４において受信され得る。無線チャネルは、複数のアンテナポートからの送信信号を歪める。
【０００６】
各チャネル上の複数のパス及び条件に起因して、ダウンリンク上の送信信号を復調するために、ＵＥ５０４は、ダウンリンク上でやはり送信されるリファレンスシンボル（ＲＳ）に依拠する。ＲＳは、予め定義されるシンボルを搬送する１つ以上のＲＥとして理解され得る。それらリファレンスシンボル及び時間周波数グリッドにおけるそれら位置は、既知であり、さもなければＵＥによって判定される。よって、ＲＳを用いて、それらシンボル上の特定の無線チャネルの影響を測定することにより、チャネル推定を決定することができる。
【０００７】
ＬＴＥ標準によれば、ｅＮＢからの送信信号は、アンテナというよりむしろ“アンテナポート”から送信される。アンテナポートは、さらにリファレンスシンボルＲＳに関連付けることのできる仮想的なアンテナとして理解され得る。よって、ＵＥがアンテナポートから受信アンテナへのチャネルを測定する際、送信のためにどの物理アンテナエレメントが使用されたかは、当該ＵＥにとって重要ではない。アンテナポート上での送信信号は、単一の物理アンテナエレメントから発せられるかもしれず、又は複数のアンテナエレメントからの信号の結合であるかもしれない。
【０００８】
ある例において、送信プリコーディングの使用が、特定の受信ＵＥへ送信エネルギーを向かわせるために利用され得る。これは、利用可能な全てのアンテナエレメントを、アンテナエレメントごとに適用される異なる位相重み及び／又は振幅重みで、同じメッセージを送信するために使用することにより、達成され得る。各アンテナポートに関連付けられるリファレンスシンボルもまた、データと同一のプリコーディング重みで同じプリコーディング演算を経験するため、その送信は単一の仮想アンテナ／単一のアンテナポートを使用し、ＵＥは単一のＲＳを用いてチャネル推定を実行するのみでよい。
【０００９】
ＬＴＥでは、いくつもの幅広いタイプのＲＳが存在する。ＲＳの第１のタイプは、全てのＵＥにより使用可能なものであり、よって、広いセルエリアカバレッジを有する。このタイプのＲＳの１つの例は、チャネル推定を含む様々な目的でＵＥにより使用される共通リファレンスシンボル（ＣＲＳ：common  reference  symbol）である。現在のところ、これらＣＲＳは、ユーザへ送信中のデータがあるか否かに関わらず、送信サブフレーム内のある予め定義されるＲＥ群を占めるように定義されている。例えば、図２に示したように、サブフレーム２００は、制御領域、制御シグナリング、及びリファレンスシンボル２０２を含み得る。リファレンスシンボル２０２は、通信ネットワークにおいてＵＥにより使用されるＣＲＳであり得る。
【００１０】
第２のタイプのＲＳは、具体的なあるＵＥ又はＵＥのセットのみによる使用を意図される、ＵＥ固有リファレンスシンボルである。現在のところ、これらＵＥ固有ＲＳは、あるＵＥへデータが送信される場合にのみ送信される。特定のＵＥ又はＵＥのセットのためにプリコーディングが行われる場合、当該ＲＳは、セルの全ての部分には到達せず、セルの対象ＵＥ（データの宛て先）が位置する部分にのみ到達する。
【００１１】
ＬＴＥにおいて、ＵＥ固有ＲＳは、ユーザデータの受信のためにＵＥに割り当てられたリソースブロックの一部として含まれる。ＬＴＥにおけるＵＥ固有ＲＳの例示的な使用が、図３のＲＢペア内に示されており、そこにはＵＥ固有ＲＳ  Ｒ７及びＲ９が含まれる。
【００１２】
さらに、ＬＴＥネットワークにおいてＵＥへの無線リンク上で送信されるメッセージは、大まかに制御メッセージ又はデータメッセージに分類され得る。制御メッセージは、システムの適切な動作と共に、システム内の各ＵＥの適切な動作を支援するために使用される。制御メッセージは、例えば、送信電力又はＲＢに伴う追加的なシグナリングといった、制御機能へのコマンドを含み得る。制御メッセージの例は、限定ではないものの、制御領域サイズの設定情報を搬送するＰＣＦＩＣＨ（physical  control  format  indicator  channel）、例えばスケジューリング情報及び電力制御メッセージを搬送するＰＤＣＣＨ（physical  downlink  control  channel）、前回のアップリンク送信への応答としてＡＣＫ／ＮＡＣＫを搬送するＰＨＩＣＨ（physical  HARQ  indicator  channel）、及びシステム情報を搬送するＰＢＣＨ（physical  broadcast  channel）を含む。
【００１３】
ＬＴＥリリース１０では、制御メッセージは、ＣＲＳを用いて復調される。設定に依存してサブフレーム内の１番目から４番目までのＯＦＤＭシンボルが、例えば図２に示したように、制御情報のために予約されている。ＰＤＣＣＨタイプの制御メッセージは、制御チャネルエレメント（ＣＣＥ）と呼ばれる単位の集合（multiples）において送信され、各ＣＣＥは３６個のＲＥを含む。
【００１４】
現在のところ、データメッセージは、ＵＥ固有ＲＳを搬送するＲＢにおいて、ユーザへ送信され得る。これらＲＳは、ＵＥによってデータメッセージを復調するために使用され得る。ＵＥ固有のＲＳの使用は、マルチアンテナｅＮＢに、複数のアンテナから送信される信号のプリコーディングを用いて送信を最適化することを可能とし、それによりＵＥにおいて受信信号がより強くなり、その結果、送信のデータレートを増加させることができる。
【００１５】
同様に、ＬＴＥのリリース１０は、リレーノードへ制御情報を送信するための、Ｒ−ＰＤＣＣＨと呼ばれる制御チャネルをも定義する。Ｒ−ＰＤＣＣＨを受信するリレーノードは、リンク性能を改善するために、リレーノード（ＲＮ）固有リファレンス信号を使用することができる。ＵＥ固有ＲＳに基づく送信を用いたＵＥへの汎用的な制御メッセージの送信を可能とすることにより、Ｒ−ＰＤＣＣＨについて使用されるものと同じ送信の原理の採用が検討されている。
【００１６】
制御メッセージは、１つのＵＥへのみ送信される必要のあるタイプのメッセージ（ＵＥ固有制御）と、ｅＮＢによりカバーされるセル内の全てのＵＥ又はＵＥの何らかのサブセットへ送信される必要のあるもの（共通制御）とに分類され得る。Ｒ−ＰＤＣＣＨでは、ＲＮ固有のメッセージはＲＮ固有ＲＳを用いて復調され、一方で共通制御メッセージはＣＲＳを用いて復調される。ＣＲＳの使用は、ある欠点を有する。第一に、各ＲＢ内でＣＲＳ密度が高く（図２参照）、各アンテナは他のアンテナポートのＣＲＳと直交する自身のＣＲＳを要するため、送信のために使用されるアンテナの数に依存して、ＣＲＳにより生み出されるオーバヘッドは非常に高くなり得る（大まかに、２つのアンテナポートでの送信について、９．５％である）。第二に、ＣＲＳの送信は、システム内で送信されるユーザデータの量に合わせてスケーリングされない。よって、ＣＲＳの必須の送信が、特にデータが送信されない場合であっても常にオンでなければならないことから、エネルギー効率の悪いシステムを招来する。近年の分析は、ＬＴＥシステムにおいて送信されるサブフレームの大多数がその中で送信されるデータメッセージも制御メッセージも有しないことを示した。
【００１７】
共通制御信号はセル内の全てのＵＥに到達することを意図されるため、広いカバレッジの送信放射パターンが使用されなければならない。従って、それらは、単一ポート送信を用いるか又は送信ダイバーシティを用いて送信される。既存のシステムは、ＣＲＳを用いたチャネル推定を要する、広いセルカバレッジの送信フォーマットによって、複数のＵＥに共通のメッセージを送信する。送信される制御メッセージの量に合わせてスケーリングされないＣＲＳなどのリファレンス信号の送信は、エネルギー効率が悪く、追加で生じるオーバヘッドに起因して性能にも影響する。また、既存のシステムは、共通の制御メッセージ及びＵＥ固有の制御メッセージの双方のために単一の統一的な送信方式を提供しない。
【００１８】
さらに存在する問題は、制御チャネルのロバスト性を高めるようなアンテナダイバーシティのために複数のアンテナポートを利用しつつ、広範囲のカバレッジで共通制御信号をいかに送信すべきかに関し、それは安定的なシステム運用にとって最も重要である。
【００１９】
既存のシステムに伴う他の問題は、ＵＥのために送信が最適化されるように送信信号をプリコーディング可能な形でＵＥ固有リファレンスシンボルを用いてＵＥ固有の制御メッセージを送信する一方で、同時に同じタイプのＲＳを用いてより多くのＵＥの集合へ共通制御メッセージを送信し又はＵＥへＵＥ固有の制御メッセージを送信するｅＮＢにおける柔軟性の不足である。従って、ｅＮＢ及びＵＥの動作の変更を最小化しつつ、複数のＵＥに共通の制御メッセージの送信とＵＥに固有の制御メッセージの送信との間のシームレスな移行をｅＮＢにいかに可能とするかに関する問題が存在する。
【００２０】
それ故、ＵＥ固有のリファレンスシンボルを用いた基地局からＵＥへの複数のアンテナポートでの送信の技法を改善するための、方法及びデバイスについてのニーズが存在する。
【発明の概要】
【課題を解決するための手段】
【００２１】
本発明の特定の実施形態は、無線通信ネットワーク内で、１つ以上のリファレンスシンボルに関連付けられる複数の領域を含むリソースブロックとアンテナポートとを用いてデータを送信し及び受信するためのデバイス及び方法を対象とする。
【００２２】
開示されるデバイス及び方法のある観点によれば、基地局と１つ以上の通信デバイスとの間でリソースブロック（ＲＢ）内で情報が送信される。データ又は制御チャネル送信のために使用される各ＲＢにおいて、複数の重複しないリソースエレメント（ＲＥ）の領域が定義される。各領域は、１つ又は複数の一意なリファレンスシンボル（ＲＳ）に関連付けられ、さらに１つ以上のアンテナポートに関連付けられ得る。ユーザ機器（ＵＥ）は、当該情報を復調する際、ＲＢの特定の領域内で受信を行い、当該領域に関連付けられるＲＳ及び／又はアンテナポートを使用する。ＲＳ及び／又はアンテナポートの情報を用いて、例えば、通信ネットワークのチャネルが推定され、又は関連付けられる領域内に含まれるデータが復調され及び復号され得る。
【００２３】
１つの特定の観点において、基地局から通信デバイスへリソースブロック内でデータを送信するための方法が提供され、上記基地局は、複数のアンテナポートを含み、送信される上記リソースブロックは、リソースエレメントからなる複数の領域を含む。上記方法は、上記データの第１の部分を上記リソースブロックの第１の領域に割り当てることと、上記データの第２の部分を上記リソースブロックの第２の領域に割り当てることと、を含み、上記第１及び第２のリファレンスシンボルは、上記第１及び第２の領域に関連付けられる。また、上記第１のリファレンスシンボルは、上記基地局の第１のアンテナポートに関連付けられ、上記第２のリファレンスシンボルは、上記基地局の第２のアンテナポートに関連付けられる。上記方法は、さらに、データの上記第１の部分を符号化して第１の符号化データを生成することと、データの上記第２の部分を符号化して第２の符号化データを生成することと、をさらに含む。上記符号化データは変調され、第１及び第２の変調データが生成され、上記リファレンスシンボルと共に上記リソースブロック内で上記通信デバイスへ送信される。
【００２４】
本発明の特定の実施形態は、リソースブロック内でデータを送信するための、通信ネットワーク内で動作可能な基地局デバイスを提供し、上記リソースブロックは、リソースエレメントからなる複数の領域を含む。上記基地局は、複数のアンテナポートと、上記データの第１のリファレンスシンボルに関連付けられる第１の部分を、上記リソースブロックの第１の領域に割り当てるように構成されるプロセッサと、を備える。上記プロセッサは、上記データの第２のリファレンスシンボルに関連付けられる第２の部分を、上記リソースブロックの第２の領域に割り当てるようにも構成される。上記プロセッサは、データの上記第１及び第２の部分を符号化して、符号化データを生成するようにさらに構成される。そして、上記符号化データは上記プロセッサによって変調されて、第１及び第２の変調データが生成され、送信器によって送信される。上記送信器は、上記変調データを、上記第１及び第２のリファレンスシンボルと共にリソースブロック内で送信するように構成される。上記第１のリファレンスシンボルは第１のアンテナポートに関連付けられ、上記第２のリファレンスシンボルは第２のアンテナポートに関連付けられる。さらに、上記第１の変調データは上記第１のアンテナポート上で上記第１のリファレンスシンボルと共に送信され、上記第２の変調データは上記第２のアンテナポート上で上記第２のリファレンスシンボルと共に送信され得る。
【００２５】
本発明の特定の実施形態は、リソースエレメントを含む複数の領域を含むリソースブロック内のデータを復調するための方法を提供する。上記方法は、通信デバイスにおいて、複数のアンテナポートを伴う基地局からの上記データを受信すること、を含み、上記データの第１の部分は上記リソースブロックの第１の領域に割り当てられ第１のリファレンスシンボルに関連付けられており、上記データの第２の部分は上記リソースブロックの第２の領域に割り当てられ第２のリファレンスシンボルに関連付けられている。上記方法は、上記第１のリファレンスシンボルを用いて第１のアンテナポートに対応する第１のチャネルを推定することと、上記第２のリファレンスシンボルを用いて第２のアンテナポートに対応する第２のチャネルを推定することと、をも含む。最後に、上記方法は、上記第１の部分又は上記第２の部分のうちの少なくとも１つを復調すること、を含む。
【００２６】
本発明の特定の実施形態は、リソースエレメントからなる複数の領域を含むリソースブロック内のデータを受信する、通信ネットワーク内で動作可能な通信デバイスを提供する。上記データは、複数のアンテナポートを伴う基地局から受信され、上記データの第１の部分は上記リソースブロックの第１の領域に割り当てられ第１のリファレンスシンボルに関連付けられており、上記データの第２の部分は上記リソースブロックの第２の領域に割り当てられ第２のリファレンスシンボルに関連付けられている。上記通信デバイスは、上記データを受信するように構成される１つ以上のアンテナと、当該アンテナに結合されるプロセッサと、を含む。上記プロセッサは、上記第１のリファレンスシンボルを用いて、上記通信ネットワークの第１のアンテナポートに対応する第１のチャネルを推定し、上記第２のリファレンスシンボルを用いて、上記通信ネットワークの第２のアンテナポートに対応する第２のチャネルを推定するように構成される。上記プロセッサは、さらに、データの上記第１又は第２の部分のうちの少なくとも１つを復調するようにも構成される。
【００２７】
本開示の発明の特定の実施形態は、複数のアンテナポートを伴う基地局から１つ以上の通信デバイスへ複数のメッセージを送信するための方法を対象とする。上記方法は、第１のメッセージを、第１のリソースブロックの、第１のリファレンスシンボルに関連付けられるリソースエレメントを含む領域に割り当てることと、第２のメッセージを、第２のリソースブロックの、第２のリファレンスシンボルに関連付けられるリソースエレメントを含む領域に割り当てることと、上記第１及び第２のメッセージを符号化して符号化データを生成することと、上記符号化データを変調して第１及び第２の変調データを生成することと、上記第１及び第２の変調データを、少なくとも１つの通信デバイスへ上記第１及び第２のリファレンスシンボルと共に送信することと、を含む。
【００２８】
実施形態の上述した及び他の観点が、添付図面を参照しながら以下に説明される。
【図面の簡単な説明】
【００２９】
ここに取り入れられて明細書の一部をなす添付図面は、本開示の様々な実施形態を例示し、その説明と共に、当該開示の原理を説明するため及びここで開示される実施形態を当業者が活用することを可能とするためにさらに供される。図面において、同様の参照番号は、同一の又は機能的に同様のエレメントを指し示す。
【００３０】
【図１】例示的なリソースブロックを示している。
【図２】例示的なダウンリンクサブフレームを示している。
【図３】ＵＥ固有リファレンスシンボルを伴うリソースブロックペアを示している。
【図４】本発明の例示的な実施形態に係る複数の領域を伴うリソースブロックを示している。
【図５】ＭＩＭＯ（Multiple-Input  Multiple-Output）通信システムを示している。
【図６】本発明の例示的な実施形態に係るＵＥ通信デバイスのブロック図である。
【図７】本発明の例示的な実施形態に係る基地局のブロック図である。
【図８】本発明の例示的な実施形態に係るデータを送信するための処理を例示するフローチャートである。
【図９】本発明の例示的な実施形態に係る、複数の領域と、関連付けられるリファレンスシンボルとを伴うリソースブロックを示している。
【図１０】本発明の例示的な実施形態に係るデータを復調するための処理を例示するフローチャートである。
【図１１】本発明の例示的な実施形態に係る、複数の領域と、関連付けられるリファレンスシンボルとを伴う例示的なリソースブロックを示している。
【図１２】本発明の例示的な実施形態に係る、４つの領域と、関連付けられるリファレンスシンボルとを伴う例示的なリソースブロックを示している。
【図１３】本発明の例示的な実施形態に係る、複数の領域と、関連付けられるリファレンスシンボルとを伴う例示的なリソースブロックを示している。
【図１４】本発明の例示的な実施形態に係る、周波数ダイバーシティを伴う送信のための、複数の領域と、関連付けられるリファレンスシンボルとを伴う例示的なリソースブロックを示している。
【図１５】本発明の例示的な実施形態に係る、周波数シフト送信ダイバーシティを伴う送信のための、複数の領域と、関連付けられるリファレンスシンボルとを伴う例示的なリソースブロックを示している。
【図１６】本発明の例示的な実施形態に係る、周波数シフト送信ダイバーシティを伴う送信のための、複数の領域と、関連付けられるリファレンスシンボルとを伴う例示的なリソースブロックを示している。
【図１７】本発明の例示的な実施形態に係る、空間−周波数−時間符号化された送信のための、複数の領域と、関連付けられるリファレンスシンボルとを伴う例示的なリソースブロックを示している。
【図１８】本発明の例示的な実施形態に係る、周波数シフト送信ダイバーシティ及び空間−周波数−時間符号化を伴う送信のための、複数の領域と、関連付けられるリファレンスシンボルとを伴う例示的なリソースブロックを示している。
【図１９】本発明の例示的な実施形態に係る、小規模メッセージの送信用の複数の領域と、関連付けられるリファレンスシンボルとを伴う例示的なリソースブロックを示している。
【図２０】本発明の例示的な実施形態に係る、基地局から１つ以上の通信デバイスへメッセージを送信するための処理を例示するフローチャートである。
【図２１】本発明の例示的な実施形態に係る例示的な無線通信ネットワークを示している。
【発明を実施するための形態】
【００３１】
開示されるデバイス及び方法の例示的な実施形態において、複数のアンテナポートを伴う基地局と１つ以上の通信デバイスとの間で、リソースブロック（ＲＢ）内でデータが送信される。
【００３２】
図２１は、例としての無線ネットワーク２１００を示している。図示したように、無線ネットワーク２１００は、少なくとも１つの基地局５０２と、少なくとも１つの無線ユーザ機器（ＵＥ）通信デバイス５０４とを含む。無線ＵＥ通信デバイスの例は、携帯電話、ＰＤＡ（personal  digital  assistants）、電子書籍リーダ、ポータブル電子タブレット、ＰＣ（personal  computer）及びラップトップコンピュータを含む。
【００３３】
図６は、例示的なＵＥ通信デバイス５０４のブロック図である。図６に示したように、ＵＥ通信デバイスは、１つ以上のアンテナを含むアンテナアレイ６０２と、１つ以上のマイクロプロセッサ及び／又はＡＳＩＣ（application  specific  integrated  circuit）若しくはＦＰＧＡ（field-programmable  gate  arrays）などの１つ以上の回路を含み得るデータ処理システム６０６と、１つ以上の不揮発性記憶デバイス及び／又は１つ以上の揮発性記憶デバイス（例えば、ＲＡＭ（random  access  memory））を含み得るデータ記憶又はメモリシステム６０８と、を含み得る。アンテナアレイ６０２は、アンテナアレイ６０２を介して信号を送受信するように構成される送受信器６０４に接続される。
【００３４】
データ処理システム６０６がマイクロプロセッサを含む実施形態では、コンピュータ読取可能なプログラムコードが、限定ではないものの、磁気媒体（例えば、ハードディスク）、光学媒体（例えば、ＤＶＤ）及びメモリデバイス（例えば、ランダムアクセスメモリ）などといったコンピュータ読取可能な媒体に記憶され得る。いくつかの実施形態において、コンピュータ読取可能なプログラムコードは、プロセッサにより実行された場合に、データ処理システム６０６に、以下に説明するステップ群（例えば、図１０に示したフローチャートを参照しながら以下に説明されるステップ群）を実行させるように構成される。他の実施形態において、ＵＥ通信デバイス５０４は、コードを必要とすることなく、上述したステップ群を実行するように構成される。即ち、例えば、データ処理システム６０６は、１つ以上のＡＳＩＣから構成されてもよい。よって、上述した本発明の特徴は、ハードウェアで及び／又はソフトウェアで実装され得る。例えば、特定の実施形態において、ＵＥ通信デバイス５０４の上述した機能コンポーネントは、コンピュータ命令を実行するデータ処理システム６０６によって、コンピュータ命令には非依存に動作するデータ処理システム６０６によって、又はハードウェア及び／若しくはソフトウェアの任意の適切な組合せによって、実装されてよい。
【００３５】
図７は、例示的な基地局５０２のブロック図を示している。図７に示したように、基地局５０２は、１つ以上のマイクロプロセッサ並びに／又はＡＳＩＣ（application  specific  integrated  circuit）及びＦＰＧＡ（field-programmable  gate  arrays）などの１つ以上の回路を含み得るデータ処理システム７０８と、ネットワークインタフェース７０６と、１つ以上の不揮発性記憶デバイス及び／又は１つ以上の揮発性記憶デバイス（例えば、ＲＡＭ（random  access  memory））を含み得るデータ記憶システム７１０と、を含み得る。ネットワークインタフェース７０６は、アンテナアレイ７０２を介して信号を送受信するように構成される送受信器７０４に接続される。特定の実施形態によれば、当該アンテナアレイは、１つ以上のアンテナポートを含むように構成され得る。例えば、アンテナアレイ７０２は、ＬＴＥ仕様のポート０及びポート１に対応する第１のアンテナポート０及び第２のアンテナポート１を含み得る。開示されるデバイス及び方法の例示的な実施形態では、基地局５０２は、ノードＢ又は拡張ノードＢである。
【００３６】
データ処理システム７０８がマイクロプロセッサを含む実施形態では、コンピュータ読取可能なプログラムコードが、限定ではないものの、磁気媒体（例えば、ハードディスク）、光学媒体（例えば、ＤＶＤ）及びメモリデバイス（例えば、ランダムアクセスメモリ）などといったコンピュータ読取可能な媒体に記憶され得る。いくつかの実施形態において、コンピュータ読取可能なプログラムコードは、プロセッサにより実行された場合に、データ処理システム７０８に、以下に説明するステップ群（例えば、図８及び図２０に示したフローチャートを参照しながら以下に説明されるステップ群）を実行させるように構成される。他の実施形態において、基地局５０２は、コードを必要とすることなく、上述したステップ群を実行するように構成される。即ち、例えば、データ処理システム７０８は、単に１つ以上のＡＳＩＣから構成されてもよい。よって、上述した本発明の特徴は、ハードウェアで及び／又はソフトウェアで実装され得る。例えば、特定の実施形態において、当該基地局の上述した機能コンポーネントは、コンピュータ命令を実行するデータ処理システム７０８によって、コンピュータ命令には非依存に動作するデータ処理システム７０８によって、又はハードウェア及び／若しくはソフトウェアの任意の適切な組合せによって、実装されてよい。
【００３７】
基地局５０２と１つ以上の通信デバイス５０４との間で、リソーブロック内でデータが送信され得る。特定の実施形態によれば、データ又は制御チャネル送信のために使用される各リソースブロック（ＲＢ）内に、複数の重複しない（non-overlapping）リソースエレメント（ＲＥ）の領域が定義される。各領域は、少なくとも１つの一意のリファレンスシンボル（ＲＳ）に関連付けられ、さらに１つ以上のアンテナポートに関連付けられ得る。
【００３８】
ユーザ機器５０４は、ＲＢの特定の領域内で受信する情報を復調する際、当該領域に関連付けられるＲＳ及び／又はアンテナポートを使用する。ＲＳ及び／又はアンテナポートの情報を用いて、例えば、通信ネットワークのチャネルが推定され、又は関連付けられる当該領域内に含まれるデータが復調され得る。
【００３９】
図４は、２つの時間周波数領域４０２、４０４から構成される例示的なリソースブロックを示しており、各領域は自身に関連付けられるリファレンスシンボルを有する。第１の領域４０２は、第１のリファレンス信号領域４０６に位置するリソースエレメント内で送信される第１のリファレンスシンボルに関連付けられる。第２の領域４０４は、第２のリファレンス信号領域４０８に位置するリソースエレメント内で送信される第２のリファレンスシンボルに関連付けられる。各領域は、例えば、ＣＣＥ、ＰＨＩＣＨ若しくはＰＢＣＨ、又はそうしたメッセージエレメントの断片（fractions）といった制御情報を送信するために使用され得る。複数のアンテナポートを伴うｅＮＢといった基地局において、２つのリファレンスシンボルは、例えば図４においてＡＰ１及びＡＰ２とラベリングされた異なるアンテナポートに関連付けられ得る。
【００４０】
さて、図８を参照すると、複数のアンテナポートを有する基地局５０２からリソースブロック４００内でデータを送信するための処理を例示するフローチャート８００が示されている。リソースブロック４００は、図４に例示した領域４０２及び４０４といった複数のデータ領域を含む。
【００４１】
処理８１０の１つ目のステップにおいて、データの第１の部分がリソースブロック４００の第１の領域４０２に割り当てられる。このデータは、第１のリファレンスシンボル４０６及び基地局５０２の第１のアンテナポートに関連付けられる。当該データは、例えば、制御メッセージであってよい。特定の実施形態によれば、当該制御メッセージは、電力制御、スケジューリング情報、ＡＣＫ／ＮＡＣＫ応答及び／又はシステム情報に関連するコマンドを含み得る。さらに、第１のリファレンスシンボル４０６は、ＵＥ固有リファレンスシンボルであってよい。
【００４２】
ステップ８２０において、データの第２の部分がリソースブロック４００の第２の領域４０４に割り当てられる。このデータは、第２のリファレンスシンボル４０８及び基地局５０２の第２のアンテナポートに関連付けられる。当該データは、第１のデータもそうであるように、例えば、制御メッセージであってよく、電力制御、スケジューリング情報、ＡＣＫ／ＮＡＣＫ応答及び／又はシステム情報に関連するコマンドを含み得る。
【００４３】
ステップ８３０において、データの第１の部分が符号化され、第１の符号化データが生成される。同様に、データの第２の部分が符号化され、第２の符号化データが生成される。そして、符号化データは、ステップ８４０において変調され、第１の変調データ及び第２の変調データが生成される。
【００４４】
ステップ８５０において、第１の変調データ及び第２の変調データが、第１のリファレンスシンボル及び第２のリファレンスシンボルを伴って、通信デバイス５０４へ送信される。第１の変調データ及び第１のリファレンスシンボルは第１のアンテナ上で送信され得る一方で、第２の変調データ及び第２のリファレンスシンボルは第２のアンテナ上で送信される。
【００４５】
特定の実施形態によれば、図７に示したデバイスのような基地局５０２は、通信ネットワークにおいて動作可能であり、図８のフローチャートにおいて詳述した通りにリソースブロック内でデータを送信するように共に構成される、複数のアンテナポート７０２、送受信器７０４及びデータ処理リソース７０８を含む。
【００４６】
図１０を参照すると、通信デバイスによってリソースブロック内で受信されるデータを復調するための処理を例示するフローチャート１０００が示されている。
【００４７】
ステップ１０１０において、通信デバイスは、通信ネットワークの基地局５０２からデータを受信する。当該基地局は、例えば、図７に示したようなｅＮＢの通りであってよい。本実施形態によれば、基地局５０２は、例えばＬＴＥ仕様のアンテナポート０及び１を含み得る、複数のアンテナポートを有する。
【００４８】
上記データの第１の部分は、図４に例示したリソースブロック４００のような受信されるリソースブロックの第１の領域に割り当てられている。上記データの第２の部分は、リソースブロックの第２の領域に割り当てられている。これら領域の各々は、それぞれ第１のリファレンスシンボル及び第２のリファレンスシンボルに関連付けられている。
【００４９】
ステップ１０２０において、当該通信デバイスは、第１のリファレンスシンボルを用いて、基地局５０２の第１のアンテナポートに対応するチャネルを推定する。本発明の実施形態によれば、第１のリファレンスシンボルは、第１のアンテナポートに一意に関連付けられ得る。同様に、ステップ１０３０において、当該通信デバイスは、第２のアンテナポートに一意に関連付けられ得る第２のアンテナポートを用いて、基地局の第２のアンテナポートに対応するチャネルを推定する。
【００５０】
ステップ１０４０において、第１のデータ及び第２のデータのうちの少なくとも１つが復調される。当該ステップは、さらに、復調されるデータについての逆レートマッチング及び復号を実行することを含んでもよい。
【００５１】
特定の実施形態によれば、図６に示したデバイスのようなＵＥ通信デバイス５０４は、図１０のフローチャートにおいて詳述した通りにリソースブロック内で受信されたデータを復調するように共に構成される、アンテナアレイ６０２、送受信器６０４及びデータ処理リソース６０６を含む。
【００５２】
図９及び図１１〜図１３は、リファレンスシンボル及びアンテナポートへの領域の関連付けと共に、リソースブロックの複数の領域への例示的な区画化を示している。本開示における実施形態を例示するために、ＲＢの使用は、サブフレーム内の両スロットにデータが例えばマッピングされる場合に、ＲＢペアへ直接的に拡張されてよい。
【００５３】
例えば、制御チャネルの送信のために使用されるＲＢにおいて、複数の直交する時間−周波数及び符号リソースが定義され得る。それ故、ここではリソースとして言及される区画（partition）が、ＲＢ内のリソースエレメントのサブセットに加えてカバー符号（cover  code）から構成される領域として定義され得る。カバー符号は、例えば、直交カバー符号のセットから選択され得る。本発明の特定の実施形態によれば、各リソースは１つ以上の一意なリファレンスシンボルに関連付けられ、関連付けられるリファレンスシンボルを搬送するリソースエレメントもまた、同じリソースブロック又は同じＲＢペア内でリソースとして送信される。複数のアンテナポートを伴う基地局、例えば基地局５０２から送信される場合、１つのＲＳがアンテナポートのうちの１つの上で送信される。ＵＥは、送信されるＲＢの所与のリソース内の情報を復調する際、処理用に当該リソースに関連付けられたＲＳ／アンテナポートを用いることができる。例えば、ＲＳ／アンテナポートは、正確なチャネル推定のために使用されることができる。
【００５４】
ある実施形態によれば、１つ以上のリソース内で、制御情報は、限定ではないものの、（ＰＤＣＣＨに属する）ＣＣＥ、ＰＨＩＣＨ又はＰＢＣＨを含んで送信される。リソースがＣＣＥ、ＰＨＩＣＨ又はＰＢＣＨの全体にフィットするには小さすぎる場合、これらメッセージの断片を第１の領域内で送信し、他の断片をサブフレーム内の別の場所にある第２の領域内で送信することができる。第２の領域は他のＲＳに関連付けられ、よって、他のアンテナポートに関連付けられ得る。ある領域内の断片的なメッセージの例示的な使用は、第１のＲＢの第１のリソース内でＣＣＥの半分を第１のアンテナポートから送信し、第２のＲＢの第２のリソース内で同じＣＣＥの他の半分を第２のアンテナポートから送信することである。この送信方式によれば、周波数ダイバーシティ及びアンテナダイバーシティの双方が獲得される、
【００５５】
図９は、ＬＴＥにおいて現在定義されているような、最大４個の送信ポートについてのリファレンスシンボル位置を伴う例示的なＲＢを示している。リファレンスシンボルを搬送するリソースエレメントは、Ｒ７及びＲ９によって表記されている。Ｒ７によって表記されるＲＥは、アンテナポート７のためのＲＳを含み、又は代替的に、アンテナポート７及び８のためのＲＳを双方のポートが使用される場合に含み得る。２つのポートのためのＲＳは、直交カバー符号（ＯＣＣ：orthogonal  cover  code）を用いて互いの上に重畳され得る。例えば、図９に示した隣接シンボル９０２の各ペアにおいて、ポート７のために送信されるＲＳは符号｛＋１、＋１｝を使用してよく、ポート８のためのものは符号｛＋１，−１｝を使用してよい。特定の実施形態によれば、アンテナポート９及び１０のためのＲＳは、同様に、図９に示した隣接ＲＥペア９０４上に重畳される。
【００５６】
図９は、ＲＢ内の、制御メッセージ送信のための２つの異なる領域をも示している。本実施形態において、各領域は３６個のＲＥを有し、その数はレガシーＬＴＥキャリア上のＣＣＥ内のＲＥの数と同じである。ドットで示された第１の領域はアンテナポート７又はアンテナポート７及び８に関連付けられ、一方でハッシングで示された第２の領域はアンテナポート９又はアンテナポート９及び１０に関連付けられる。
【００５７】
特定の実施形態によれば、アンテナポートのいずれについてもＲＢが必ず送信されるわけではない。例えば、対応する領域が使用されなければ、所与のアンテナポートについてＲＳは送信されなくてよい。これは、例えば、ＵＥの割り当ての使用と、レガシーＰＤＣＣＨについてＣＣＥの観点で定義されるサーチスペース（ＵＥが自身宛てのメッセージをサーチするためにブラインド復号を実行する場所）とを、ＵＥ固有ＲＳに基づく制御チャネルにまで持ち込むことを可能とする。既存の方式の必要とされる変更は、ＣＣＥからＲＥへのマッピングのみである。
【００５８】
本発明の実施形態において、ＲＢ又はＲＢペア内のリソースの、関連付けられる一意のＲＳとアンテナポートとを伴う複数の重複しない領域への区画化は、多様な手法で実装されてよく、例えばそれは図１１において提供されている通りである。本発明のさらなる実施形態によれば、周波数分割多重（ＦＤＭ）と共に、時間分割多重（ＴＤＭ）及び符号分割多重（ＣＤＭ）といったいくつかの方式に基づいて、リソースは区画化されてよい。
【００５９】
例えば、図１２は、４つの領域にＲＢが区画化された、２つの可能な構成を示している。この例によれば、情報のためにカバー符号は必要とされない。よって、ドットで示した領域はアンテナポート７に関連付けられ、黒いブロックで示した領域はアンテナポート８に関連付けられ、ハッシングで示した領域はアンテナポート９に関連付けられ、白いブロックで示した領域はアンテナポート１０に関連付けられる。前に説明したように、アンテナポート８及び１０のためのＲＳは、ポート７及び９によりそれぞれ使用されるものと同じＲＥにおいて、直交カバー符号を用いて送信されてよい。
【００６０】
リソースとリファレンスシンボルとの間の追加的な関連付けを生成するために、符号分割多重化（ＣＤＭ）が区画化のスキームに取り入れられてもよい。例えば、｛＋１，＋１｝及び｛＋１，−１｝といった２つのカバー符号が、例えば図９及び図１１においてドットで示した領域などの領域に適用され得る。それに応じて、カバー符号｛＋１，＋１｝を伴うドットで示した領域はアンテナポート７に関連付けられ、カバー符号｛＋１，−１｝を伴うドットで示した領域はアンテナポート８に関連付けられ得る。同様に、図９及び図１１に示したカバー符号｛＋１，＋１｝を伴うハッシングで示した領域はアンテナポート９に関連付けられ、カバー符号｛＋１，−１｝を伴うハッシングで示した領域はアンテナポート１０に関連付けられ得る。このアプローチは、図１２に示した４領域の区画化及びＲＳの関連付けを用いる実装に対する代替案を提供することができる。
【００６１】
ある実施形態によれば、周波数ダイバーシティを領域での送信に組み込むために、複数のＲＢが領域の区画化とＲＳの関連付けとを定義するために併せて使用されてもよい。例えば、図１３に示したように、２つのＲＢ内のリソースエレメントを用いて、４つの領域とその関連付けられるリファレンスシンボル及びアンテナポートが定義される。この実施形態では、２つのＲＢは周波数での分離を有する。ドットで示した領域は、アンテナポート７に関連付けられる。ハッシングで示した領域は、アンテナポート９に関連付けられる。黒いブロックで示した領域は、アンテナポート８に関連付けられる。白いブロックで示した領域は、アンテナポート１０に関連付けられる。
【００６２】
レガシーＬＴＥキャリアにおいて、制御チャネルの例としてのＰＤＣＣＨで、複数の制御チャネルエレメント（ＣＣＥ）を単一のメッセージを送信するために統合することができる。統合されるＣＣＥの数は、当該メッセージについてのアグリゲーションレベルとして言及され得る。この概念を、領域をまたいで生じる統合を伴う本発明の実施形態に適用することができる。例えば、領域が３６個のＲＥを有するものとして定義される実施形態について、ＬＴＥにおいて現在定義されているようなＰＤＣＣＨからの制御メッセージをマッピングする場合、ＣＣＥを領域に直接的にマッピングすることができる。一方で、ＣＣＥを、異なる領域において送信される異なる断片的なＣＣＥ群に分割することもできる。ＰＨＩＣＨ、ＰＢＣＨ及び他の制御メッセージを領域にマッピングするためにも、同じ原理を提供することができる。
【００６３】
ある実施形態によれば、ここで説明される実施形態は、多様な送信モードの柔軟な使用を可能とするために使用されてもよい。例えば、図１４〜図１８は、情報をリソース及びアンテナポートにマッピングする例示的な実施形態を示しており、所与のメッセージが送信されるリソースに適用されるプリコーディングを調整することによって、（広範囲のカバレッジを伴う）共通の制御メッセージと（所与のＵＥへ向けられる）ＵＥ固有の制御メッセージの双方の送信が可能となる。このやり方で、制御メッセージは、複数のリソースにマッピングされ得る。そして、ｅＮＢといった基地局５０２は、リソースがどのようにアンテナポートを利用しているかを制御することができる。これは、最大限の柔軟性を提供し、周波数ダイバーシティ、周波数シフト送信ダイバーシティ（ＦＳＴＤ：frequency  shifted  transmit  diversity）、空間周波数／時間ブロック符号化（ＳＦＢＣ／ＳＴＢＣ）及びそれらの組合せ、を含む送信モードを可能とする。
【００６４】
周波数ダイバーシティを利用する送信において、送信メッセージといった情報を複数のリソースに割り当てることにより、送信アンテナポートの数には非依存に周波数ダイバーシティが達成され得る。それらリソースは、周波数をまたいで広がり、ある実施形態では異なるＲＢにまたがって広がる。例えば、図１４に示したように、周波数ダイバーシティは、２というアグリゲーションレベルでの単一のアンテナから２つのＵＥへの送信のために使用され得る。この例において、２つのＣＣＥが使用され、周波数において広がる２つのＲＢ内の異なる領域にマッピングされる。ＬＴＥ  Ｒｅｌ−８のように、アグリゲーションレベルは２よりも高くされ得る。例えば、ＬＴＥは、８までのアグリゲーションレベルをサポートする。
【００６５】
周波数シフト送信ダイバーシティ（ＦＳＴＤ）を含む送信モードにおいて、制御メッセージといった情報は、複数のリソースにも割り当てられ、それぞれの領域が複数の異なるアンテナポートに割り当てられる。この実施形態によれば、ＵＥは、複数のストリームを受信し、それらを連結し、そしてメッセージを復調し及び復号する。追加的に、ｅＮＢは、複数のアンテナポートを定義するために、異なるプリコーディングベクトルを割り当てることができる。
【００６６】
図１５に示した通りの、この送信モードの例示的な図によれば、複数の異なるＲＥのセットにおいて複数のアンテナをまたいで送信される複数のストリームの間で、送信シンボルが分割される。ＵＥは、当該ストリームの全てを受信し、それらを連結し、メッセージを復調し及び復号する。これは、異なるＣＣＥ、例えば図１５におけるＣＣＥ１及び２を異なる領域に割り当てることにより達成される。領域は、同じＲＢ内であっても又は複数のＲＢにまたがってもよく、領域ごとにアンテナポート（ＡＰ）がプリコーディングされ得る。図１５の図は、２つのＵＥについて２というアグリゲーションレベルを有する。第１のＵＥは、各領域を伴う第１のＲＢ１５０２内で、ドットの領域及びハッシングの領域の間で分割される自身のＣＣＥ群を有し、よって各ＣＣＥは異なる複数のアンテナポート上で送信される。第２のＵＥは、第２のＲＢ１５０４内で、自身のメッセージを同様に受信する。
【００６７】
周波数ダイバーシティ及び周波数シフト送信ダイバーシティの双方を、アグリゲーションレベル２での送信で達成することができる。例えば、図１５に関していうと、ＵＥ１のための制御チャネルの第１の半分は、（ドットで示した）アンテナポート７に関連付けられる領域にマッピングされたＣＣＥを介して、一方のＲＢ１５０２内で送信され、第２の半分は、（ハッシングで示した）アンテナポート９に関連付けられる領域にマッピングされたＣＣＥを介して、他方のＲＢ１５０４内で送信されることができる。
【００６８】
他の実施形態において、周波数シフト送信ダイバーシティを、図１６に示したような単一のＲＢ上で達成することができる。本例では、各ＵＥは、１というアグリゲーションレベルを有し、従って、ＣＣＥを１つのみ送信する。このＣＣＥは、複数の部分、本例では２つ、に分割され、異なるアンテナポート上で送信されることができる
【００６９】
空間周波数／時間ブロック符号化（ＳＦＢＣ／ＳＴＢＣ）と呼ばれ、一般にアラモウティ方式としても知られる送信ダイバーシティ方式は、アンテナポートのペア上で同じシンボルのバリエーション群を送信する。ある実施形態は、例えば２つのＲＳ／アンテナポートなどの複数のＲＳ／アンテナポートをリソースに関連付け、制御メッセージといった情報をアラモウティ方式に従って複数のアンテナポート上で送信することにより、この方式に従って送信ダイバーシティを達成し得る。本実施形態では、各ポートは、アンテナに又は（例えば、プリコーディングを用いて）仮想アンテナに関連付けられ得る。
【００７０】
図１７に例示したように、この方式に係る送信ダイバーシティは、当該領域に関連付けられる２つのアンテナポートを伴う領域にマッピングされた、制御メッセージといった情報を送信することにより達成され、各ポートはプリコーディングされてもよい。この例によれば、第２のポートから送信される信号は、第１のポート上で送信される信号のバリエーションであり、図１７において上付きの“＊”によって表記されている。
【００７１】
ある実施形態は、上で議論した方式の組合せを使用し得る。例えば、制御メッセージといった情報を、各領域が２つのアンテナポートに関連付けられるような、ＲＢ内の少なくとも２つのリソースにマッピングすることができる。それに応じて、メッセージは、４つのアンテナポート上で送信される。この実施形態では、メッセージは、上で議論したＦＳＴＤ方式に従って、まず２つのストリームに区分される。そして、各ストリームは、別個のリソースにマッピングされ、ストリーム及びそのバリエーションが、２つの異なるアンテナポートを用いて当該リソース内で送信される。リソースごとにアンテナポートペアは相違する。よって、４ポートアンテナダイバーシティが達成される。
【００７２】
図１８に例示したように、制御メッセージは、少なくとも２つの領域にマッピングされ、４つのアンテナポート上で送信されてもよい。当該メッセージは、ＦＳＴＤ方式のように、まず２つのストリームに区分される。そして、各ストリームは、別個の領域にマッピングされ、当該領域上で異なるアンテナポートを用いて２回送信される。領域ごとのアンテナポートペアは相違し、よって４ポートダイバーシティが達成される。これが図１８に例として示されており、単一のＵＥが異なるＲＢをまたいで選択された複数の領域にマッピングされた２つのＣＣＥを伴う。
【００７３】
ある実施形態によれば、制御メッセージといったメッセージが小規模である場合、当該メッセージは分割されて複数の領域にわたって分配され、周波数ダイバーシティを提供するように、各領域は十分に大きい周波数間隔で隔離されて、ＲＢ内で送信される。例示的な小規模の制御メッセージは、単一のＣＣＥを伴うＰＤＣＣＨ、又はＰＨＩＣＨを含み得る。
【００７４】
上で議論したように、ＲＢ内の異なる直交リソースを、異なるＰＤＣＣＨによって利用することができる。ＰＨＩＣＨもまた、他のＰＤＣＣＨと無線リソースを共有することができる。この例が図１９に示されており、ＵＥ１は単一のＣＣＥで構成されるＰＤＣＣＨを受信し、ＵＥ２はＰＨＩＣＨを受信する。
【００７５】
本発明の開示を、ＲＢ内の全てのサブキャリアが上述した教示に従って利用され得るような、新たなキャリアタイプに適用することができる。しかしながら、既存のＬＴＥシステムの仕様に後方互換的なキャリアでは、例えば設定に依存してサブフレーム内の最初の１番目から４番目のＯＦＤＭシンボルが、制御情報のために予約され得る。これは、例えば、図２に示した割当てにおいて示されている。セル内のレガシーＵＥのサポートを可能とするために、上述した実施形態を、レガシーの制御領域に割り当てられていない無線リソースに適用することができる。例えば、図１９に示したように、本発明の実施形態は、サブフレームの第１スロット内の、レガシー動作のための最初の３つの後の最後の４つのＯＦＤＭシンボルに適用される。
【００７６】
図２０を参照すると、本開示のデバイス及び方法の例示的な実施形態に係る、基地局から１つ以上の通信デバイスへ複数のメッセージを送信するための方法を例示するフローチャート２０００が示されている。
【００７７】
最初のステップ２０１０において、第１のメッセージが、第１のリソースブロックの、第１のリファレンスシンボルに関連付けられる領域に割り当てられる。ステップ２０２０において、第２のメッセージが、第２のリソースブロックの、第２のリファレンスシンボルに関連付けられる領域に割り当てられる。特定の実施形態によれば、第１及び第２のメッセージは、独立したメッセージであってもよく、又は代替的に単一のメッセージの複数の部分であってもよい。さらに、第１のリファレンスシンボル及び第２のリファレンスシンボルは、同じＲＢ又は異なるＲＢ内のリソースエレメントに割り当てられてよい。それらリファレンスシンボルは、基地局５０２のアンテナポートに関連付けられ得る。ある実施形態では、リファレンスシンボルは、１つ以上の特定のＵＥ５０４に関連付けられ得る。
【００７８】
ステップ２０３０において、第１のメッセージが符号化されて第１の符号化データが生成され、第２のメッセージが符号化されて第２の符号化データが生成される。
【００７９】
ステップ２０４０において、第１の符号化データ及び第２の符号化データが変調され、第１の変調データ及び第２の変調データが生成され、ステップ２０５０において、１つ以上の通信デバイスへ、第１のリファレンスシンボル及び第２のリファレンスシンボルを伴って送信される。
【００８０】
特定の実施形態によれば、図７に示したデバイスのような基地局５０２は、通信ネットワーク内で動作可能であり、図２０のフローチャートにおいて詳述した通りにメッセージを送信するように共に構成される、複数のアンテナポート６０２、送受信器６０４及びデータ処理リソース６０６を含む。
【００８１】
多様な実施形態を上で説明したが、それらは例としてのみ提示されており、限定として提示されてはいないことが理解されるべきである。よって、本開示の広さ及び範囲は、上述した例示的な実施形態のいずれによっても限定されるべきでない。さらに、全ての可能なバリエーションにおける上述したエレメントのいかなる組合せも、ここで示され又はそうではなく文脈と明確に矛盾しない限り、本開示により包含される。
【００８２】
さらに、上で説明し図中に例示した処理は一連のステップとして示されているが、これは単に例示のためにされたものである。従って、何らかのステップが追加され、何らかのステップが省略され、ステップの順序が再構成され、及びいくつかのステップが並列的に実行されてもよいと想定される。
【図１】
2014529220.tif 000003
【図２】
2014529220.tif 000004
【図３】
2014529220.tif 000005
【図４】
2014529220.tif 000006
【図５】
2014529220.tif 000007
【図６】
2014529220.tif 000008
【図７】
2014529220.tif 000009
【図８】
2014529220.tif 000010
【図９】
2014529220.tif 000011
【図１０】
2014529220.tif 000012
【図１１】
2014529220.tif 000013
【図１２】
2014529220.tif 000014
【図１３】
2014529220.tif 000015
【図１４】
2014529220.tif 000016
【図１５】
2014529220.tif 000017
【図１６】
2014529220.tif 000018
【図１７】
2014529220.tif 000019
【図１８】
2014529220.tif 000020
【図１９】
2014529220.tif 000021
【図２０】
2014529220.tif 000022
【図２１】
2014529220.tif 000023
【国際調査報告】
2014529220.tif 000024
2014529220.tif 000025